(57)【要約】【課題】ブランド品やお洒落着の日蔭干し、梅雨時の部屋干し、秋冬のように気温が比較的低い時期の洗濯物干しであっても、衣服のシワや型崩れ等を防止することができる上、短時間で洗濯物を乾燥させることができ、生乾きによる嫌なにおいの発生を効果的に防止することができる洗濯物干し用ハンガーを提供する。【解決手段】洗濯物干し用ハンガー１０は、塩化ビニールシートによって中空状に形成されており空気の注入によって膨らんだ状態で保持可能な空気貯蔵部２０と、その空気貯蔵部２０を覆うように配置された水分吸収放出部４０とによって構成されている。水分吸収放出部４０は、合成ゴムシートからなる防水シート３０の上に不織布からなる水分吸収放出体３５を積層することによって形成されている。【選択図】図１
2015092890.tif 000002
【特許請求の範囲】
【請求項１】
水分を含んだ洗濯物を干す際にシワや型崩れを生じさせないために用いる洗濯物干し用ハンガーであって、
気密性を有する素材によって形成されており空気を注入して膨らませた状態で保持可能な空気貯蔵部と、
吸水即乾性を有する素材によって形成されており前記空気貯蔵部を覆うように配置される水分吸収放出部とを有することを特徴とする洗濯物干し用ハンガー。
【請求項２】
前記水分吸収放出部が、下地に防水シートを備えたものであることを特徴とする請求項１に記載の洗濯物干し用ハンガー。
【請求項３】
前記空気貯蔵部が、円柱形状の首部と、その首部に連続して左右対称に形成された上向きに凸の曲面状の肩部と、その肩部の下方に位置しており前後を貫通するように中空部が形成された胴体部とを有するものであることを特徴とする請求項１、または請求項２に記載の洗濯物干し用ハンガー。
【請求項４】
前記首部の上縁中央部にフックを設置するとともに、前記胴体部の下端際に空気を出し入れするための空気抽入排出部を設けたことを特徴とする請求項３に記載の洗濯物干し用ハンガー。
【発明の詳細な説明】
【技術分野】
【０００１】
本発明は、水分を含んだ洗濯物を乾燥させるために干す際、衣服の型を崩さないことを目的として用いる洗濯物干し用ハンガーに関するものである。
【背景技術】
【０００２】
従来の衣類用ハンガーは、人体のシルエットとは相違しており、具体的には人体よりも前後の幅が狭いため、水分を含んだ洗濯物の重みが分散されず、一部分に集中してかかり過ぎることにより、伸びや型崩れやシワ等が発生し易い。さらに、衣類の身頃部分の前後が、お互いに水分を含んだ状態では密着し易いため、前後の身頃部分間に空間ができず、空気の流通が損なわれてしまい、その分多くの乾燥時間を必要としている。
【０００３】
最近では、特許文献１の如く、従来の衣服収納用ハンガーとは異なり洗濯物を干すことを目的とした、浮き輪と同じ素材である塩化ビニール等からなり、空気を入れて膨らませることにより、ハンガーの形状を人体のシルエットに近い形状にした洗濯物干し用ハンガーが開発されている。この洗濯物干し用ハンガーは、前後の幅を収納用ハンガーよりも大きくし、ハンガーの形状を人体のシルエットにより近い形状にして、水分を含んだ洗濯物の荷重を均一に分散させることにより、シワや型崩れ等を防止することができる、という特徴を有するものである。
【先行技術文献】
【特許文献】
【０００４】
【特許文献１】特開２００２−１１２９４
【発明の概要】
【発明が解決しようとする課題】
【０００５】
ブランド品やお洒落着のような、シワにしたくない衣服、型崩れを起こしたくない衣服を洗濯するときの鉄則は、脱水機を使用しないことであると言われている。すなわち、洗濯物を洗った段階で脱水機を使用せず、水分を多く含んだ状態から干すことになる。さらに、洗濯物を直射日光に当てると、紫外線による、黄ばみや色あせの原因になるため、日陰に干す必要がある。また、梅雨時等の部屋干しによる衣類の嫌なにおいは、乾燥に時間がかかることで、洗濯で落としきれなかった汗等のたんぱく質や皮脂等の汚れが酸化し、または、雑菌が繁殖することによって起こると言われている。
【０００６】
しかしながら、特許文献１の如き従来の人体に近いシルエットを有する洗濯物干し用ハンガーは、浮き輪と同じ素材である塩化ビニール等からなるため、水分を含んだ洗濯物が、物干し用ハンガー自体に密着してしまうことは避けられない。即ち、衣服の見頃部分がハンガー自体と密着してしまい、その間に空気が入り込むことができず、乾燥に多くの時間を要するため、洗濯物を短時間の内に乾燥させることができない。そのため、特許文献１の如き従来の洗濯物干し用ハンガーは、生乾きによって雑菌を繁殖させることにより、衣服から嫌なにおいを発生させてしまう、という欠点を有していた。
【０００７】
本発明の目的は、上記の洗濯物干し用ハンガーの課題を解消し、ブランド品やお洒落着の日蔭干し、梅雨時の部屋干し、秋冬のように気温が比較的低い時期の洗濯物干しであっても、衣服のシワや型崩れ等を防止することができる上、短時間で洗濯物を乾燥させることができ、生乾きによる嫌なにおいの発生を効果的に防止することができる洗濯物干し用ハンガーを提供することにある。
【課題を解決するための手段】
【０００８】
請求項１に記載した発明は、水分を含んだ洗濯物を干す際にシワや型崩れを生じさせないために用いる洗濯物干し用ハンガーであって、気密性を有する素材によって形成されており空気を注入して膨らませた状態で保持可能な空気貯蔵部と、吸水即乾性を有する素材によって形成されており前記空気貯蔵部を覆うように配置される水分吸収放出部とを有することを特徴とするものである。なお、気密性を有する素材とは、ビニールシートやゴムシート等の中空体を形成した場合に短時間で空気が抜けないもののことであり、吸水即乾性を有する素材とは、不織布、スパンボンドシート、綿や麻等を主成分とする糸による織布等の吸水・吸湿性が高く嵩高い（バルキーな）素材のことである。
【０００９】
請求項２に記載した発明は、請求項１に記載された発明において、前記水分吸収放出部が、下地に防水シートを備えたものであることを特徴とするものである。
【００１０】
請求項３に記載した発明は、請求項１、または請求項２に記載された発明において、前記空気貯蔵部が、円柱形状の首部と、その首部に連続して左右対称に形成された上向きに凸の曲面状の肩部と、その肩部の下方に位置しており前後を貫通するように中空部が形成された胴体部とを有するものであることを特徴とするものである。
【００１１】
請求項４に記載した発明は、請求項３に記載された発明において、前記首部の上縁中央部にフックを設置するとともに、前記胴体部の下端際に空気を出し入れするための空気抽入排出部を設けたことを特徴とするものである。
【発明の効果】
【００１２】
請求項１に係る洗濯物干し用ハンガーは、吸水即乾性を有する素材からなる水分吸収放出部が空気貯蔵部を覆うように配置されているため、シワや型くずれを防止することができるのみならず、水分吸収放出部が洗濯物の水分を素早く吸収、放出するため、乾燥時間を効果的に短縮し、嫌なにおいの発生を防止することができる。そのため、ブランド品やお洒落着の日蔭干し、梅雨時の部屋干し、秋冬のように気温が比較的低い時期の洗濯物干しであっても、好適に用いることができる。
【００１３】
請求項２に係る洗濯物干し用ハンガーは、水分吸収放出部が下地に防水シートを備えたものであり、製造時に、防水シート上に水分吸収放出部を積層し、その積層体を空気貯蔵部の上に粘着あるいは接着する方法を採用することができるため、短時間で容易に製造することができる。
【００１４】
請求項３に係る洗濯物干し用ハンガーは、人の上半身に近い形状とからなっているため、水分を含んだ洗濯物の荷重を均一に分散させることにより、襟元から肩にかけての部分については勿論、その他の洗濯物の多くの部分についても、シワや型くずれ等を防止することができる上、中空部の周辺と洗濯物との間に空気を流通させることによって、乾燥時間を一層短縮することができる。さらに、胴体部のくびれた部分を利用して、スカートやズボンを干すこともできる。
【００１５】
請求項４に係る洗濯物用干しハンガーは、浮き輪と同様のエアー式なので、空気を抜けばコンパクトなサイズになり、大きな収容スペースを取らない。また、携帯にも便利なため、旅行用としても使用することができる。
【図面の簡単な説明】
【００１６】
【図１】物干しハンガーの正面図（ａ）および断面拡大図（ｂ）である。
【図２】物干しハンガーの使用状態を表す説明図である。
【発明を実施するための形態】
【００１７】
＜洗濯物干し用ハンガーの構造＞
以下、本発明に係る洗濯物干しハンガーについて、図面を参照しつつ詳細に説明する。
【００１８】
＜洗濯物干し用ハンガーの構造＞
図１は、本発明に係る洗濯物干し用ハンガーの正面図および断面拡大図である。洗濯物干し用ハンガー１０は、空気の注入によって膨らんだ状態で保持可能な空気貯蔵部２０と、その空気貯蔵部２０を覆うように配置された水分吸収放出部４０とによって構成されている。
【００１９】
空気貯蔵部２０は、塩化ビニールシートによって中空状に形成されており、浮き輪等と同様に、空気の注入によって膨らんだ状態で保持することができるようになっている。当該空気貯蔵部２０は、人の上半身に近いシルエットとなっており、首に見立てた円柱形状の部分（首部２０ａ）と、その首部２０ａに連続して形成されており人の胴体に見立てた中空部（孔）５０を設けたドーナッツ状の部分（胴体部２０ｂ）とからなっている。また、胴体部２０ｂの上端であって、首部２０ａと隣接した左右は、それぞれ、肩部２０ｃとなっており、各肩部２０ｃ，２０ｃの外側には、それぞれ、カーブした円柱状の腕部２０ｄ，２０ｄが設けられている。
【００２０】
また、空気貯蔵部２０は、中空部５０の周囲の厚さ（前後厚さ）が胴体部２０ｂの最大厚さ（前後厚さ）の１／２程度になっている。すなわち、胴体部２０ｂの最も厚い部分と中空部５０の周囲の部分との厚さの差によって、洗濯物をセットした際に、中空部５０の周辺が、洗濯物と密着せず、空気の流路を形成することができるようになっている。さらに、空気貯蔵部２０は、下端際においては、上方から下方にかけて幅広で厚くなっており、“くびれ”が形成された状態になっている。また、首部２０ａの上面の中央部には、フック７０が設置されており、胴体部２０ｂの下端際には、空気を出し入れするための空気抽入排出部６０が設置されている。
【００２１】
そして、上記した空気貯蔵部２０の外周には、首部２０ａの上面を除いて、水分吸収放出部４０が積層されている。当該水分吸収放出部４０は、図２の如く、合成ゴムシートからなる防水シート３０の上に、不織布からなる水分吸収放出体３５を積層したものである。すなわち、水分吸収放出部４０は、所謂メルトブロー法により、溶融させた熱可塑性樹脂を高温・高速の空気流で極細の繊維状にして防水シート３０の表面上に吐出し、防水シート３０上で繊維同士を絡み合わせることにより、防水シート３０上にバルキーな不織布（水分吸収放出体３５）を形成してなるものである。そして、当該水分吸収放出部４０は、防水シート３０の裏面を合成樹脂製の接着剤により空気貯蔵部２０の表面に接着することによって、首部２０ａの上面を除く空気貯蔵部２０の外周全体に被着されている。
【００２２】
＜洗濯物干し用ハンガーの使用方法＞
図２は、洗濯物干し用ハンガー１０の使用状態を示したものである（図２（ａ））。なお、従来の衣服収納用ハンガーを使用した場合の状態を比較のため並べて示してある（図２（ｂ））。洗濯物干し用ハンガー１０を使用する場合には、海水浴等で用いる浮き輪のものとほぼ同じ構造を有する空気抽入排出部６０から、予め、ある程度（８０％程度）空気を入れて、空気貯蔵部２０をある程度膨らませておく。そして、そのように空気貯蔵部２０をある程度膨らませた状態で、洗濯した水分を含んだ洗濯物をセットする。
【００２３】
しかる後、洗濯物をセットした状態より、さらに空気抽入排出部６０から、空気を入れて洗濯物干し用ハンガー１０を膨らませる。そのように洗濯物干し用ハンガー１０をさらに膨らますことによって、洗濯物干し用ハンガー１０にセットされた洗濯物を外向きに引っ張る力が生じることになる。それゆえ、洗濯物のシワや型崩れを防止することが可能となる。
【００２４】
＜洗濯物干し用ハンガーの効果＞
洗濯物干し用ハンガー１０は、上記の如く、人の上半身に近い形状を有しているため、襟元から肩にかけての部分については勿論、その他の部分についても、シワや型崩れを効果的に防止することができる。その上、水分吸収放出部４０が、洗濯物に含まれる水分を素早く吸収して外部に放出するため、洗濯物を短時間の内に乾燥させることができ、嫌なにおいの発生を効果的に防止することができる。また、中空部５０の周囲の厚さが胴体部２０ｂの最大厚さの１／２程度になっており、洗濯物をセットした際に、中空部５０の周辺では洗濯物が洗濯物干し用ハンガー１０と密着せず、空気を流下させることができるため、洗濯物を乾燥時間が一段と短縮される。加えて、胴体部２０ｂのくびれた部分を利用して、スカートやズボンを干すこともできる。そのため、ブランド品やお洒落着の日蔭干し、梅雨時の部屋干し、秋冬の洗濯物干し等に好適に用いることができる。
【００２５】
＜洗濯物干し用ハンガーの変更例＞
本発明に係る物干しハンガーの構成は、上記実施形態の態様に何ら限定されるものではなく、空気貯蔵部（中空部、空気抽入排出部）、防水シート、水分吸収放出部（水分吸収放出体、防水シート）、フック等の構成を、本発明の趣旨を逸脱しない範囲で、必要に応じて適宜変更することができる。
【００２６】
たとえば、水分吸収放出部は、上記実施形態の如く、防水シートの上に不織布を積層したものに限定されず、合成繊維や天然繊維をメッシュ状やネット状に編み込んだ布状体等に変更することも可能である。そのように水分吸収放出部をメッシュ状やネット状に編み込んだ布状体にする場合には、捲縮数が所定の数値範囲内（４０〜１００個／２５ｍｍ）となるような捲縮加工を施した合成樹脂繊維（たとえば、ポリプロピレン繊維）を用いると、水分吸収放出部の水分吸収・放出機能が一段と優れたものとなるので好ましい。また、そのように水分吸収放出部をネット状に編み込んだ布状体にする場合には、編み目の形状を直径３〜５ｍｍの略円形の隙間を規則的に並べたものとすると、同様に、水分吸収放出部の水分吸収・放出機能が一段と優れたものとなるので好ましい。
【００２７】
加えて、水分吸収放出部を、合成繊維、天然繊維からなる織布あるいは不織布によって形成するとともに、セラグラン等の天然成分を原料とした加工剤を用いて所謂空気加工触媒を施すと、水分吸収放出部の表面の空気触媒物質が、帯電を防止して空気中の有害物質を寄せ付けず、汚れを分解することによって、長期間に亘って高い消臭・抗菌機能を発現することができるので好ましい。
【００２８】
また、空気貯蔵部は、上記実施形態の如く、首部、胴体部、肩部および腕部を設けたものに限定されず、首部および肩部のみを設けたＴ字状のものでも良いし、首部、胴体部および肩部のみからなるものでも良い。
【産業上の利用可能性】
【００２９】
本発明に係る洗濯物干し用ハンガーは、上記の如く優れた効果を奏するものであるので、特に、ブランド品やお洒落着の日蔭干し、梅雨時の部屋干し、秋冬の洗濯物干し等に好適に用いることができる。
【符号の説明】
【００３０】
１０・・洗濯物干し用ハンガー
２０・・空気貯蔵部
２０ａ・・首部
２０ｂ・・胴体部
２０ｃ・・肩部
３０・・防水シート
４０・・水分吸収放出部
５０・・中空部
６０・・空気抽入排出部
７０・・フック
【図１】
2015092890.tif 000003
【図２】
2015092890.tif 000004